【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
無線通信システムにおける端末の動作方法であって、
前記端末の第１ アンテナを用いて第１ 基地局に接続するための第１ 接続手順 及び前記端末の第２ アンテナを用いて第２ 基地局に接続するための第２ 接続手順を行う段階と、
前記第１ アンテナを用いて前記第１ 基地局との通信を、前記第２ アンテナを用いて前記第２ 基地局との通信を行う段階と、
前記第１ 基地局及び前記端末の間の第１ 無線リンクの状態と前記第２ 基地局及び前記端末の間の第２ 無線リンクの状態に基づいて前記第１ 基地局と前記第２ 基地局のうち前記第２ 無線リンクに関する制御情報を送信するための基地局を決定する段階と、
前記基地局を前記第１ 基地局に決定することに基づいて、前記第１ アンテナを用いて前記第１ 基地局に前記第２ 無線リンクに関する前記制御情報を送信する段階と、を含む方法。
【請求項２】
前記第１ 接続手順及び前記第２ 接続手順を行う段階は、
前記第１ アンテナを用いて前記第１ 基地局と無線リソース接続確立手順を行う段階と、
前記第１ アンテナを用いて前記第１ 基地局と認証手順を行う段階と、
前記第１ アンテナを用いて前記第１ 基地局と無線区間セキュリティ設定手順及び無線リソース接続再設定手順を行う段階と、
前記第２ アンテナを用いて前記第２ 基地局と無線リソース接続確立手順、無線区間セキュリティ設定手順、及び無線リソース接続再設定手順を行う段階と、を含む請求項１に記載の方法。
【請求項３】
前記第１ 接続手順及び前記第２ 接続手順を行う段階は、
前記第１ アンテナを用いて前記第１ 基地局と無線リソース接続確立手順を行う段階と、
前記第１ アンテナを用いて前記第１ 基地局及び前記第２ 基地局の両方に対する無線区間セキュリティ設定手順及び無線リソース接続再設定手順を行う段階と、
前記第２ アンテナを用いて前記第２ 基地局と無線リソース接続確立手順を行う段階と、を含む請求項１に記載の方法。
【請求項４】
前記通信を行う段階は、
前記第１ 基地局及び前記第２ 基地局のうち１つの基地局を選択する段階と、
選択された基地局に対応するアンテナを用いて前記選択された基地局にアップリンクデータを送信する段階と、を含む請求項１に記載の方法。
【請求項５】
前記通信を行う段階は、
前記第１ 無線リンクの状態が前記第２ 無線リンクの状態より良好な場合、遅延に敏感な（ｄｅｌａｙ−ｓｅｎｓｉｔｉｖｅ）サービスのデータを前記第１ アンテナを用いて前記第１ 基地局と通信を行う段階を含む請求項１に記載の方法。
【請求項６】
前記通信を行う段階は、
前記第２ 無線リンクの状態が前記第１ 無線リンクの状態より良好な場合、前記第２ 基地局に前記第１ 無線リンクの状態及び前記第２ 無線リンクの状態を含むメッセージを送信する段階と、
前記遅延に敏感なサービスの前記データを前記第２ アンテナを用いて前記第２ 基地局と通信を行う段階と、を含む請求項５に記載の方法。
【請求項７】
前記第２ 無線リンク関連の前記制御情報のシグナリングが必要な場合、前記第１ アンテナを用いて前記第１ 基地局と前記第２ アンテナのためのシグナリングを行う段階をさらに含む請求項１に記載の方法。
【請求項８】
前記シグナリングを行う段階は、
ハンドオーバ、位置更新、ネットワーク接続解除のうち１つのためのシグナリングを行う段階を含む請求項７に記載の方法。
【請求項９】
前記端末及び前記第１ 基地局の間の前記第１ 無線リンクの状態を指示するための値が臨界値より少ないか、同じかを決定する段階と、
前記第２ アンテナを用いて前記第２ 基地局に前記値が前記臨界値より少ないか、同じかを報告するメッセージを送信する段階と、
前記第１ アンテナに対するセル再接続を要求するメッセージを受信する段階と、
前記第１ 基地局に接続するために割り当てられた第１ アンテナリソースを解除する段階と、
前記第２ 基地局に対する通信モードを単一アンテナモードから多重アンテナモードに変更する段階と、をさらに含む請求項１に記載の方法。
【請求項１０】
前記端末及び前記第１ 基地局の間の無線リンクの状態を指示するための値が臨界値より少ないか、同じかを決定する段階と、
前記第１ アンテナに対するサービングセルを前記第２ 基地局に変更すると決定する段階と、
前記第２ アンテナを用いて前記第２ 基地局に前記第１ アンテナに対するセル再接続を要求するメッセージを送信する段階と、
前記第２ アンテナを用いて前記第２基地局から前記第１ アンテナに対するセル再接続を許可することを通知するメッセージを受信する段階と、
前記第１ 基地局に接続するために割り当てられた前記第１ アンテナリソースを解除する段階と、
前記第２ 基地局に対する通信モードを単一アンテナモードから多重アンテナモードに変更する段階と、をさらに含む請求項１に記載の方法。
【請求項１１】
前記第１ 基地局及び前記第２ 基地局の両方に対する接続を解除する場合、前記第１ 基地局及び前記第２ 基地局の中から前記基地局を決定する段階と、
前記基地局に対応するアンテナを用いて前記基地局と前記接続を解除するためのシグナリングを行う段階と、をさらに含む請求項１に記載の方法。
【請求項１２】
無線通信システムにおける第１ 基地局の動作方法であって、
端末の第１ アンテナを介して前記端末との接続手順を行う段階と、
前記端末の前記第１ アンテナを介して前記端末と通信を行う段階と、
前記端末より第２ 基地局と前記端末の間の第２ 無線リンクに関する制御情報を受信する段階と、を含み、
前記第２ 無線リンク関連の前記制御情報は、前記第２ 無線リンクに関する前記制御情報を送信するための基地局を決定することに基づいて前記第１ アンテナを用いる前記端末より送信され、
前記基地局は、前記第１ 基地局及び前記第２ 基地局のうち前記端末と前記第１ 基地局の間の第１ 無線リンクの状態と、前記端末と前記第２基地局の間の前記第２無線リンクの状態に基づいて決定され、
他の接続手順は、前記第２ 基地局と前記端末の間に行われる方法。
【請求項１３】
前記接続手順を行う段階は、
ゲートウェイから前記第１ 基地局との通信のための第１ コンテキスト（ｃｏｎｔｅｘｔ）情報及び前記第２ 基地局との通信のための第２ コンテキスト情報を含むメッセージを受信する段階と、
前記第２ 基地局に前記第２ コンテキスト情報を含むメッセージを送信する段階と、をさらに含む請求項１２に記載の方法。
【請求項１４】
無線通信システムにおけるゲートウェイの動作方法であって、
端末の第１ アンテナを介した前記端末と第１ 基地局の間の第１ 接続手順及び前記端末の第２ アンテナを介した前記端末と第２ 基地局の間の第２ 接続手順を行う段階と、
前記第１ 基地局及び前記第２ 基地局を介して前記端末と通信を行う段階を含み、
前記第１ 基地局及び前記第２ 基地局のうち前記端末と前記第２ 基地局の間の第２ 無線リンク関連の制御情報を送信するための基地局は、前記端末と前記第１ 基地局の間の第１ 無線リンクの状態と、前記端末と前記第２ 基地局の間の前記第２ 無線リンクの状態に基づいて決定され、
前記第２ 無線リンク関連の前記制御情報は、前記基地局を前記第１ 基地局を決定することに基づいて前期端末の前記第１ アンテナを介して前記第１ 基地局に送信される方法。
【請求項１５】
請求項１乃至１４の何れか一項に記載の方法を実施するように構成された装置。